(57)【要約】【課題】  ＲＧＢ各々の単色を表示した場合に生じる色むらに起因するむらを補正することが可能であり、更に高画質な表示装置を提供する。【解決手段】  複数色の映像信号のうち少なくとも２色の映像信号の混合比率を所定の変換係数に基づいて変える混合比率変換手段と、前記混合比率変換手段で用いる変換係数を表示画面内の表示位置情報に応じて選定する変換係数選定手段と、を備え、表示位置情報に対応した変換係数を前記変換係数選定手段によって選定し、前記混合比率変換手段による混合比率変換後の出力にて表示素子を駆動する。【選択図】  図４
2006058754.tif 000002
【特許請求の範囲】
【請求項１】
複数色の映像信号のうち少なくとも２色の映像信号の混合比率を所定の変換係数に基づいて変える混合比率変換手段と、
前記混合比率変換手段で用いる変換係数を表示画面内の表示位置情報に応じて選定する変換係数選定手段と、
を備え、
表示位置情報に対応した変換係数を前記変換係数選定手段によって選定し、前記混合比率変換手段による混合比率変換後の出力にて表示素子を駆動することを特徴とする表示装置。
【請求項２】
前記混合比率変換手段の出力信号に対して、各色毎に色むらを補正する色むら補正手段を備えることを特徴とする請求項１に記載の表示装置。
【請求項３】
同期信号に基づいて表示画面内の表示位置を特定する表示位置情報を発生させる位置情報発生部と、
補正ポイントに応じた補正係数を記憶する係数記憶部と、
補正係数を用いて表示画面内の表示位置に応じたマトリクス係数を補間して出力する係数補間部と、
マトリクス係数を用いて複数色の映像信号のマトリクス演算を行うマトリクス回路と、を備え、
複数色の映像信号に対応する同期信号に基づいて前記位置情報発生部で特定の表示位置の表示位置情報を発生させ、発生させた表示位置情報から補正ポイントの補正係数を前記係数記憶部から読み出し、読み出した補正係数を用いて前記係数補間部で表示位置に対応したマトリクス係数を補間して出力し、出力したマトリクス係数を用いて前記マトリクス回路で複数色の映像信号のマトリクス演算を行い、複数色の映像信号の混合比率を変えた映像信号で表示素子を駆動することを特徴とする表示装置。
【請求項４】
前記マトリクス回路でマトリクス演算した後の混合比率を変えた各色毎の出力信号を表示パネルの特性に応じてＶ−Ｔカーブの補正を行うＶ−Ｔ補間部と、
該Ｖ−Ｔ補間部で補正された各色毎の出力信号に色むらを補正する色むら補正部と、
を備えることを特徴とする請求項３に記載の表示装置。
【発明の詳細な説明】
【技術分野】
【０００１】
本発明は、色むらを改善する表示装置に関し、特に背面投射型表示装置に関する。
【背景技術】
【０００２】
従来、表示装置の色むらを補正する装置としては、表示画面をブロックに分割し、分割したブロックの輝度レベルを均一にして、表示画面に生じる色むらを補正するものがある（例えば、特許文献１参照。）。
【０００３】
以下、図７により従来の色むら補正装置について説明する。図７は、特許文献１に記載された色むら補正装置の構成を示す。
【０００４】
図７において、映像信号入力７０１から単色の映像信号を入力する。この信号を増幅回路７０２で増幅し、Ｖ−Ｔ補正回路７０３で液晶パネル７０８の特性にあったＶ−Ｔ補正を行う。次に、色むら補正信号加算回路７０４にて、色むら補正信号発生回路７１０にて発生した色むら補正信号をＤ／Ａ変換器７１１および増幅回路７１２を介して加算することにより色むら補正を行っている。色むら補正信号は、Ｈ同期信号入力７１３およびＶ同期信号入力７１４に入力されたＨ同期信号およびＶ同期信号に基づいてタイミング発生回路７０９により表示位置に応じたタイミングで発生される。
【０００５】
色むら補正信号加算回路７０４より出力された信号は、反転増幅回路７０５および非反転増幅回路７０６により反転または正転された信号となり、極性切替回路７０７で所望のタイミングで極性を切り替えて、液晶パネル７０８を駆動する。
【０００６】
３板式プロジェクタの場合には、各色の液晶パネルの表示画面における輝度のばらつきが３枚の液晶パネルを重ねることによって色むらとして見えるため、上記の補正回路を各色の液晶パネル毎に備えることにより、各パネルの輝度むらを減少させることで色むらを減少させることができる。
【特許文献１】特開平１０−８４５５１号（特許第３２０２６１３号）公報
【発明の開示】
【発明が解決しようとする課題】
【０００７】
上記背景技術で述べた色むら補正方法では、ＲＧＢの各々の信号に対して補正信号を加減算（または乗算）することにより補正を行うため、ＲＧＢ各々の単色を表示した場合に生ずる色むらに起因するむらを補正することはできなかった。
【０００８】
ここで、従来の色むら補正方法の問題点について、図５および図６を用いて説明する。図５は、Ｒ、Ｇ、Ｂの３枚の液晶パネルにおいて、Ｒパネルのみに信号（例えば、（Ｒ，Ｇ，Ｂ）＝（２５５，０，０））を入力して、表示画面５０１に赤の表示を行った例を示している。
【０００９】
光学系のダイクロイックミラーに入射する角度によりフィルターの特性に違いが生じるため、表示画面５０１の中央部５０２と右下部５０３では、同じ信号を入力しても色度の異なる赤色が表示される。ここで、中央部５０２での色度をＲ（Ｘｒ，Ｙｒ）、右下部５０３での色度をＲ’（Ｘｒ’，Ｙｒ’）とする。
【００１０】
３板式投射型表示装置のＧパネルのみに信号を入力して表示した場合の色度をＧ（Ｘｇ，Ｙｇ）、Ｂパネルのみに信号を入力して表示した場合の色度をＢ（Ｘｂ，Ｙｂ）とする
と、表示画面５０１の中央部５０２で表示が可能な色再現範囲は、図６のＸ−Ｙ色度図において、Ｒ６０１とＧ６０３とＢ６０４の各点を結んだ実線の三角形となる。ここで、Ｗ６０５は、ＲＧＢの各信号をＲＧＢの各パネルに同時に表示した際の白色の色度座標を示す。
【００１１】
一方、表示画面５０１の右下部５０３の色再現範囲は、図６のＲ’６０２とＧ６０３とＢ６０４の各点を結んだ点線の三角形となる。
【００１２】
このように、中央部５０２と右下部５０３では、色再現範囲が異なることになり、色むらの原因となる。したがって、同じ（Ｒ，Ｇ，Ｂ）の値の映像信号を中央部５０２と右下部５０３に入力しても異なる色が表示されるという問題がある。
【００１３】
従来の色むら補正方法では、単色の信号に対して、色むら補正信号を加減算または乗算することにより補正を行うため、単色（例えば、赤色）を表示している際に、画面右下部５０３を画面中央部５０２の色に合わせて補正しようとしても、補正信号によりＲ信号の増減が行われるだけであるので、Ｗ６０５とＲ’６０２を結ぶ直線上の色を再現することはできるが、画面中央部５０２のＷ６０５とＲ６０１を結ぶ直線上の色を再現することはできず、色むらの補正を最適に行うことはできなかった。
【００１４】
本発明は、上記従来技術の課題を解決するためになされたもので、ＲＧＢ各々の単色を表示した場合に生じる色むらに起因するむらを補正することが可能であり、更に高画質な表示装置を提供することを目的とするものである。
【課題を解決するための手段】
【００１５】
上記目的を達成するために本発明にあっては、以下の構成を採用する。すなわち、
複数色の映像信号のうち少なくとも２色の映像信号の混合比率を所定の変換係数に基づいて変える混合比率変換手段と、
前記混合比率変換手段で用いる変換係数を表示画面内の表示位置情報に応じて選定する変換係数選定手段と、
を備え、
表示位置情報に対応した変換係数を前記変換係数選定手段によって選定し、前記混合比率変換手段による混合比率変換後の出力にて表示素子を駆動することを特徴とする表示装置である。
【００１６】
また、同期信号に基づいて表示画面内の表示位置を特定する表示位置情報を発生させる位置情報発生部と、
補正ポイントに応じた補正係数を記憶する係数記憶部と、
補正係数を用いて表示画面内の表示位置に応じたマトリクス係数を補間して出力する係数補間部と、
マトリクス係数を用いて複数色の映像信号のマトリクス演算を行うマトリクス回路と、を備え、
複数色の映像信号に対応する同期信号に基づいて前記位置情報発生部で特定の表示位置の表示位置情報を発生させ、発生させた表示位置情報から補正ポイントの補正係数を前記係数記憶部から読み出し、読み出した補正係数を用いて前記係数補間部で表示位置に対応したマトリクス係数を補間して出力し、出力したマトリクス係数を用いて前記マトリクス回路で複数色の映像信号のマトリクス演算を行い、複数色の映像信号の混合比率を変えた映像信号で表示素子を駆動することを特徴とする表示装置である。
【発明の効果】
【００１７】
本発明によれば、単色表示時の色むらに起因するむらも補正することが可能となり、更
には高画質な表示装置を提供することができる。
【発明を実施するための最良の形態】
【００１８】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１９】
図１を参照して、本発明の実施形態に係る背面投射型表示装置２００を説明する。図１は実施形態に係る背面投射型表示装置を側面から見た図である。
【００２０】
投射型表示エンジンＤ１から投射された画像を反射ミラー２０１にて反射し、スクリーン１３の背面から投射する。スクリーン１３の前面には、デジタイザ２０２が取り付けられており、スクリーン１３前面より、デジタイザ用ペン２０３にて入力した位置座標を表示装置２００に入力する。デジタイザ２０２としては、光学式のもの、感圧式のもの、超音波式のもの等、各種のものを用いることができる。明るさ調整ＳＷ２０４は、表示画面の明るさを指示するためのスイッチである。
【００２１】
次に、投射型表示エンジンＤ１における光学系について説明する。図２は投射型表示エンジンＤ１における光学系の構成を示す図である。
【００２２】
図２において、ランプ１から発せられた白色光は、放物面鏡２、不図示の反射鏡およびレンズ群により略平行光に変換される。この略平行光は、ダイクロイックミラー３，４、高反射ミラー５，６，７および不図示のレンズ群により色分解されて各色用に設けられた液晶パネル８，９，１０に集光される。
【００２３】
そして、液晶パネル８，９，１０に入射した光は、画像を表示している液晶パネル８，９，１０によって変調され、表示画像に応じた空間変調光が生成される。各色変調光は、色合成用ダイクロイックプリズム１１により色合成が行われ、投射レンズ群１２を介してスクリーン１３に拡大投射される。
【００２４】
色合成用ダイクロイックプリズム１１内には、それぞれ光軸に対して傾いて配置された２つのダイクロイック膜１１ａ，１１ｂが互いにプリズム内で交差することなく設けられている。ダイクロイック膜１１ａは、互いに波長域が異なる赤色変調光、緑色変調光および青色変調光のうち２色の変調光を、その反射・透過作用によって合成する。また、ダイクロイック膜１１ｂは、ダイクロイック膜１１ａによって合成された２色変調光と残りの１色の変調光とを、その反射・透過作用により合成する。こうして色合成された変調光はプリズム１１の射出面から投射レンズ群１２に射出される。
【００２５】
ここで、各液晶パネル８，９，１０と色合成用ダイクロイックプリズム１１との間には、光学系を小型化する目的で正屈折レンズ群１４，１５，１６が配置されている。このため、各液晶パネル８，９，１０を通過した略平行光としての各色変調光は、正屈折レンズ群１４，１５，１６にて集光作用を受けて非平行光化され、この非平行光が色合成用ダイクロイックプリズム１１に入射することになる。
【００２６】
したがって、光線のダイクロイック膜１１ａ，１１ｂへの入射角度が、例えば画面の左右で異なり、その影響でダイクロイック膜１１ａ，１１ｂにおける分光・透過のカットオフ波長に違いが発生し、結果として、色分光毎に画面の左右等で輝度又は色度レベルの不均一（輝度むら又は色むら）が生じるという問題がある。
【００２７】
次に、本実施形態の表示装置２００における電気信号の処理について説明する。図３は本実施形態に係る背面投射型表示装置のブロック図である。
【００２８】
上述した液晶パネル８，９，１０には、図３に示すように映像信号処理手段３０００を接続した。
【００２９】
映像信号処理手段３０００において、３０はスイッチを示し、３１はＡ／Ｄコンバータを示す。また、３２はＤＳＰ部を示し、３３は現状の表示データと次のフレームで表示するデータ等を保持するメモリを示し、３４はタイミング発生回路（ＴＧ）を示し、１０１は解像度変換部を示し、１０２は色むら補正に使用する表示データや補正データを記憶するメモリを示し、１０３は輝度むら・色むら補正部を示し、３５はＤ／Ａコンバータを示し、３６は各液晶パネル８，９，１０に印加する信号と電源を供給するパネルドライバを示す。
【００３０】
ＤＳＰ部３２では、コントラスト、ブライト調整や色変換等の表示画像処理が行われる。
【００３１】
一方、５０はＰＣ（パソコン）入力端子を示し、５１はＮＴＳＣ入力端子を示す。ここで、図３のブロック図には、アナログ入力信号のみ記載されているが、それに限らず、ＬＶＤＳ、ＴＭＤＳ等の入力端子や、デジタルＴＶ用Ｄ４端子等を設けても有効であることは言うまでもない。
【００３２】
また、５２は信号処理回路を示し、ＮＴＳＣ信号のデコード、ノイズ低減処理、帯域制限フィルタリングおよび信号レベル調節等の信号処理を行う。
【００３３】
またさらに、５７はランプ１に接続されるランプ用の電源であるバラストを示し、５８はシステム電源、６０はＡＣインレットを示す。
【００３４】
また、６１は表示装置２００の種々の操作を行うためのリモコン、６２はそのリモコン６１の信号を受信する制御パネルを示す。
【００３５】
さらに、１１０は明るさ調整ＳＷを示し、１０９は明るさ調整ＳＷ検出部を示し、明るさ調整ＳＷ検出部１０９は明るさ調整ＳＷ１１０の動作を検出する。１１８はデジタイザ検出部を示し、デジタイザ２０２において指示された座標を検出する。１０７はＵＳＢ  Ｉ／Ｆである。
【００３６】
さらに、６３はＣＰＵを示し、６４はＲＯＭを示し、６５はＲＡＭを示す。このＣＰＵ６３は、上述した映像信号処理手段３０００や制御パネル６２やバラスト５７や明るさ調整ＳＷ検出部１０９やデジタイザ検出部１１８やＵＳＢ  Ｉ／Ｆ１０７等に接続されており、液晶パネル８，９，１０やランプ１等の駆動制御や表示画像の拡大・縮小や移動のための制御を行う。
【００３７】
本実施形態では、明るさ調整ＳＷ検出部１０９、デジタイザ検出部１１８、ＵＳＢ  Ｉ／Ｆ１０７等はＣＰＵ６３に接続されるものとして説明したが、ＣＰＵ６３に内蔵したり、プログラムにより実行したりするように構成してもよい。
【００３８】
また、３００はＰＣ（パーソナルコンピューター）であり、ＣＰＵ３０１、ＨＤ（ハードディスク）３０２、ＲＡＭ３０３、ＲＯＭ３０４、メモリ３０５、グラフィックコントローラ３０６、マウスＩ／Ｆ３０７、ＵＳＢ  Ｉ／Ｆ３０８等からなり、映像出力端子３０９、ＵＳＢ入力端子３１０、マウス入力端子３１１を備えている、３１２はマウスであ
り、マウス３１２はマウス入力端子３１１に接続されている。
【００３９】
図４は本実施形態に係る輝度むら・色むら補正部１０３を含む信号処理系の詳細を示すブロック図である。
【００４０】
図４において、４０１は位置情報発生部、４０２は単色むら補正係数記憶部、４０３は係数補間部、４０４はマトリクス回路、４０５はＲパネル用Ｖ−Ｔ補間部、４０６はＧパネル用Ｖ−Ｔ補間部、４０７はＢパネル用Ｖ−Ｔ補間部、４０８はＲ用色むら補正部、４０９はＧ用色むら補正部、４１０はＢ用色むら補正部である。
【００４１】
ここで、位置情報発生部４０１、単色むら補正係数記憶部４０２、係数補間部４０３が変換係数選定手段を構成し、マトリクス回路４０４が混合比率変換手段を構成する。また、Ｒパネル用Ｖ−Ｔ補間部４０５、Ｇパネル用Ｖ−Ｔ補間部４０６、Ｂパネル用Ｖ−Ｔ補間部４０７、Ｒ用色むら補正部４０８、Ｇ用色むら補正部４０９、Ｂ用色むら補正部４１０が各色毎に色むらを補正する色むら補正手段を構成する。
【００４２】
色むら補正部４０８，４０９，４１０の詳細については、その構成は同様であるので、Ｒ用色むら補正部４０８で説明を行う。Ｒ用色むら補正部４０８内において、４１１はレベル検出部、４１２は色むら補正係数記憶部、４１３係数補間部、４１４は色むら補正演算部である。
【００４３】
３６Ｒ、３６Ｇ、３６Ｂは、各々Ｒパネル、Ｇパネル、Ｂパネル用のパネル駆動部であり、８、９、１０は、各々Ｒパネル、Ｇパネル、Ｂパネルである。
【００４４】
位置情報発生部４０１では、表示を行う映像信号の水平同期信号HSYNCおよび垂直同期
信号VSYNCに基づいて水平方向および垂直方向のカウントを行い、映像信号と補正信号の
タイミングに応じて位置情報を発生させる。そして、この位置情報により補正係数記憶部４０２にメモリアドレスを与え、対応する補正ポイントの補正係数を読み出す。係数補間部４０３では、読み出した補正ポイントの補正係数より、表示位置に応じたマトリクス係数を補間して出力する。マトリクス回路４０４では、入力される映像信号に、係数補間部４０３で補間されたマトリクス係数を乗算することにより、入力されるＲＧＢ信号を表示位置座標に応じて混合して出力することにより色むらの補正を行う。
【００４５】
Ｖ−Ｔ補間部４０５，４０６，４０７では、各々、液晶パネル８，９，１０の特性に応じてＶ−Ｔカーブの補正を行う。
【００４６】
４０８，４０９，４１０は、それぞれ、Ｒパネル用の色むら補正部、Ｇパネル用の色むら補正部、Ｂパネル用の色むら補正部であり、各パネル８，９，１０に出力する信号に対して、補正係数を加減算または乗算することにより色むらの補正を行う。
【００４７】
色むら補正部４０８，４０９，４１０を代表するＲ用色むら補正部４０８内において、レベル検出部４１１では、入力される映像信号の信号レベルを検出し、レベルに応じて色むら補正係数記憶部４１２より読み出される色むら補正係数を係数補間部４１３により補間を行う。補間された色むら補正係数は、色むら補正演算部４１４により入力信号に加減算される。
【００４８】
ここで、補正方法としては、（１）Ｒ、Ｇ、Ｂの各パネル８，９，１０の単色表示時の輝度を均一化することにより、３枚のパネル８，９，１０を合成して表示した際の色むらを補正する方法と、（２）単色表示時の輝度を均一化すること無く、Ｒ、Ｇ、Ｂの各色のバランスを変えて、色度が均一になるように補正する方法があるが、後者（２）の方が、
表示輝度の全体的な低下が少ないという利点がある。
【００４９】
ここで、マトリクス用の単色むら補正係数記憶部４０２または色むら補正係数記憶部４１２に、画面を水平および垂直方向に一定間隔で区切った補正ポイントの補正データを設定する例を示す。ここでは、１０２４ドット×７６８ラインのXGA表示規格の映像信号を
、水平方向１２８ドッド間隔の９点、垂直方向１２８ライン間隔の７点に分割した場合を示している。この場合、１画面では計６３個の補正ポイントの補正データをRAMに設定す
ることになる。
【００５０】
なお、記憶した補正ポイントの補正係数から、係数補間部４０３，４１３を用いて、水平および垂直方向の補間を行うことにより、メモリ量の削減を行っている。
【００５１】
また、色むら補正係数記憶部４１２には、階調方向の入力レベル毎に補正係数を記憶することも可能である。したがって、入力レベル方向のメモリ量を削減するためには、入力レベルを分割して、分割した入力レベルに対応した補正係数を記憶し、レベル検出部４１１で入力される映像信号のレベルを検出し、係数補間部４１３で係数を補間して使用することができる。
【００５２】
以上のように、係数補間部４０３では、水平および垂直の位置方向の補間を行い、係数補間部４１３では、水平および垂直の位置方向の補間および入力信号のレベル方向の補間を行っている。
【００５３】
係数補間部４０３，４１３における補間方法としては、ニアリストネイバー補間、リニア補間、キュービック補間、スプライン補間等、各種の方法を用いることができる。
【００５４】
ここで、本実施形態における色むら補正の原理について説明する。前述したように、従来の色むら補正方法では、ＲＧＢの各々の信号に対して補正信号を加減算（または乗算）することにより補正を行うため、ＲＧＢ各々の単色を表示した場合に生ずる色むらに起因するむらを補正することはできなかった。
【００５５】
従来の色むら補正方法の問題点について、図５および図６を用いて説明する。図５は、Ｒ、Ｇ、Ｂの３枚のパネルの内、Ｒパネルのみに信号（例えば、（Ｒ，Ｇ，Ｂ）＝（２５５，０，０））を入力して、表示画面５０１に赤の表示を行った例を示している。光学系のダイクロイックミラーに入射する角度によりフィルターの特性に違いが生ずるため、表示画面５０１の中央部５０２と右下部５０３では、同じ信号を入力しても色度の異なる赤色が表示される。ここで、中央部５０２での色度をＲ（Ｘｒ，Ｙｒ）、右下部５０３での色度をＲ’（Ｘｒ’，Ｙｒ’）とする。
【００５６】
３板式投射型表示装置のＧパネルのみに信号を入力して表示した場合の色度をＧ（Ｘｇ，Ｙｇ）、Ｂパネルのみに信号を入力して表示した場合の色度をＢ（Ｘｂ，Ｙｂ）とすると、表示画面５０１の中央部５０２で表示が可能な色再現範囲は、図６のＸ−Ｙ色度図において、Ｒ６０１とＧ６０３とＢ６０４の各点を結んだ実線の三角形となる。ここで、Ｗ６０５は、ＲＧＢの各信号をＲＧＢの各パネルに同時に表示した際の白色の色度座標を示す。
【００５７】
また、表示画面５０１の右下部５０３の色再現範囲は、図６のＲ’６０２とＧ６０３とＢ６０４の各点を結んだ点線の三角形となる。
【００５８】
このように、中央部５０２と右下部５０３では、色再現範囲が異なることになり、色むらの原因となる。従って、同じ（Ｒ，Ｇ，Ｂ）の値の映像信号を中央部５０２と右下部５
０３に入力しても異なる色が表示されるという問題がある。
【００５９】
従来の色むら補正方法では、単色の信号に対して、色むら補正信号を加算または乗算することにより補正を行うため、単色（例えば、赤色）を表示している際に、画面右下部５０３を画面中央部５０２の色に合わせて補正しようとしても、Ｒ信号の増減が行われるだけであるので、Ｗ６０５とＲ’６０２を結ぶ直線上の色を再現することはできるが、画面中央部５０２のＷ６０５とＲ６０１を結ぶ直線上の色を再現することはできず、色むらの補正を高画質に行うことはできなかった。
【００６０】
本実施形態では、このような従来の方法が有していた問題点を解決するために、位置情報発生部４０１からの表示位置情報に対応した色むら補正用の補正ポイントの補正係数を単色むら係数記憶部４０２より読み出し、係数補間部４０３にて補正係数に対して表示位置に応じた補間を行ってマトリクス係数を出力し、このマトリクス係数をマトリクス回路４０４に与える。
【００６１】
図５の中央部５０２の色再現範囲と右下部５０３の色再現範囲は、図６のように異なっている。ここで、右下部５０３のＷ６０５−Ｒ’６０２軸を中央部５０２のＷ６０５−Ｒ６０１軸に合わせるためには、右下部５０３に表示する赤信号に青信号を混合して表示すれば上記軸を移動し、色むらの補正を行うことが可能となる。
【００６２】
このように、マトリクス回路４０４に与えるマトリクス係数を色むらに応じて表示位置によって変えることで、ＲＧＢ各色の混合比を変えて表示することにより、単色表示時の色むらに起因する色むらを補正することが可能となる。
【００６３】
マトリクス回路４０４の入力信号を（Ｒｉｎ，Ｇｉｎ，Ｂｉｎ）とし、マトリクス回路４０４からの出力信号を（Ｒｏｕｔ，Ｇｏｕｔ，Ｂｏｕｔ）とすると、入出力特性は次式となる。
【数１】
2006058754.tif 000003
ここで、Ｋ１１からＫ３３なるマトリクス係数を表示位置に応じて変えることにより、単色を表示時に起因した色むらを補正することが可能となる。
【００６４】
例えば、右下部５０３に赤信号を表示する際に、上式のＲｉｎ入力に対して、ＲｏｕｔとＧｏｕｔを適切な割合で出力するようにＫ２１の値を決めることにより、補正が可能となる。
【００６５】
従って、単色表示時の色むらの原因となる表示位置における色再現範囲の違いに起因して生じる色度の違いを、色再現範囲が重なる範囲では一致させることが可能となる。
【００６６】
色再現範囲が重ならない部分については、色再現範囲が重なる範囲で色軸が一致する色度に補正することにより、色むらを目立たなくして改善することができる。
【００６７】
また、色再現範囲は狭くなるが、各表示位置で色再現範囲の重なる部分のみを使用するように補正することにより、各表示位置における色度を完全に一致させることも可能であり、表示画面の色むらのばらつきの程度や表示装置の使用目的に応じて、適宜応用することが可能である。
【００６８】
以上、本実施形態によれば、従来の方法では補正できなかった、ＲＧＢ各々の単色を表示した場合に生じる色むらに起因するむらを補正することが可能であり、更に高画質な表示装置を提供することができる。
【００６９】
また、本実施形態では、ダイクロイック膜への入射角の違いにより、単色表示時の色むらが発生するとしたが、それに限るものではなく、光学系、スクリーン、パネル等のその他の原因により発生する色むらについても補正ができる。
【００７０】
また、本実施形態では、光学系の小型化のために、色合成光学系にて入射角の異なる光を利用した場合について説明したが、光利用効率を向上させるために色分離光学系において入射角の異なる光を利用する場合にも、光学特性に違いが生ずるため、前述の単色時の色むら（色ばらつき）が発生するため、その改善にも適用できる。
【００７１】
また、本実施形態では、透過型液晶デバイスを用いた背面投射型表示装置について説明したが、それに限るものではなく、DMDやLCOS（反射型液晶デバイス）等を用いた背面お
よび前面投射型表示装置や、直視型のLCD、PDP、CRT、OLED等の各種の表示装置において
も適用可能であり、表示画面内の位置による色再現範囲の違いによる色むらを補正し、その画質改善に適用できる。
【図面の簡単な説明】
【００７２】
【図１】実施形態に係る背面投射型表示装置を示す側断面図である。
【図２】実施形態に係る投射型表示エンジンを示す構成図である。
【図３】実施形態に係る背面投射型表示装置のブロック図である。
【図４】実施形態に係る背面投射型表示装置の輝度むら・色むら補正部を含む信号処理のブロック図である。
【図５】表示画面例である。
【図６】色再現範囲を説明するための図である。
【図７】従来技術の色むら補正回路のブロック図である。
【符号の説明】
【００７３】
１  ランプ
２  放物面鏡
３，４  ダイクロイックミラー
５，６，７  高反射ミラー
８，９，１０  液晶パネル
１１  色合成用ダイクロイックプリズム
１１ａ，１１ｂ  ダイクロイック膜
１４，１５，１６  正屈折レンズ群
１０３  輝度むら・色むら補正部
２００  背面投射型表示装置
２０１  反射ミラー
２０２  デジタイザ
２０３  デジタイザ用ペン
４０１  位置情報発生部
４０２  単色むら補正係数記憶部
４０３  係数補間部
４０４  マトリクス回路
４０５，４０６，４０７  Ｖ−Ｔ補間部
４０８  Ｒパネル用の色むら補正部
４０９  Ｇパネル用の色むら補正部
４１０  Ｂパネル用の色むら補正部
４１１  レベル検出部
４１２  補正係数記憶部
４１３  係数補間部
４１４  補正演算部
５０１  表示画面
５０２  中央部
５０３  右下部
Ｄ１  投射型表示エンジン
【図１】
2006058754.tif 000004
【図２】
2006058754.tif 000005
【図３】
2006058754.tif 000006
【図４】
2006058754.tif 000007
【図５】
2006058754.tif 000008
【図６】
2006058754.tif 000009
【図７】
2006058754.tif 000010